(57)【特許請求の範囲】
【請求項１】
回転可能に且つ着脱自在に支持された回転体と、該回転体に接触対向するように設けられ、回転可能に且つ着脱自在に支持された対向部材と、開閉自在に一端が支持され、閉じた状態で他端が該回転体と該対向部材との接触対向領域に臨むように配設され、記録材の搬送経路を形成する搬送ガイド部材とを備える画像形成装置において、
該搬送ガイド部材が閉じた状態で該回転体の回転軸における回転体取り外し方向への移動を規制する一方で、該搬送ガイド部材が開かれるのに伴って、該回転軸の回転体取り外し方向への移動を規制する規制位置から該移動を規制しない位置に移動する規制部と、
該搬送ガイド部材が開いた状態で該対向部材が装置内に取り付けられる場合に該対向部材の通紙範囲外に接触して該搬送ガイド部材が閉じるようにする突起部とを、該搬送ガイド部材の通紙範囲外に設けたことを特徴とする画像形成装置。
【請求項２】
請求項１の画像形成装置において、
上記搬送ガイドが開く方向に付勢され、上記突起部が装置内への取り付けを完了した上記対向部材の通紙範囲以外に接触するようにしたことを特徴とする画像形成装置。
【請求項３】
請求項１又は２の画像形成装置において、
上記突起部材は、上記対向部材と接する面が移動可能に形成されることを特徴とする画像形成装置。
【発明の詳細な説明】
【０００１】
【発明の属する技術分野】
本発明は、複写機、ファクシミリ、プリンタ等の画像形成装置に係り、詳しくは、回転可能に且つ着脱自在に支持された回転体と、該回転体に接触対向するように設けられ、回転可能に且つ着脱自在に支持された対向部材と、開閉自在に一端が支持され、閉じた状態で他端が該回転体と該対向部材との接触対向領域に臨むように配設され、記録材の搬送経路を形成する搬送ガイド部材とを備える画像形成装置に関するものである。
【０００２】
【従来の技術】
従来、この種の画像形成装置においては、像担持体面に形成担持させたトナー像を転写材に転写する転写手段として転写ローラを使用するものが知られている。転写ローラは芯金とこれに同心一体のローラ状に形成された導電性ゴム・スポンジ等の導電性弾性体とから構成され、転写ローラの回転軸の両端を転写軸受で回転自由に支持して転写ローラの表面部を像担持体面に押圧当接させている。そして、像担持体と転写ローラの接触対向領域であるニップ部を転写材が通過する時に、転写ローラにトナー像の帯電極性と逆極性のバイアスを印加することで、像担持体面のトナー像を転写材面に転写する。
【０００３】
ところで、上記転写ローラは、像担持体に押圧当接されていること、両者に線速差が生じること、及びその表面にトナーや紙粉等が付着すること等により、その表面部の弾性体が経時的に劣化しやすい。転写ローラの表面部の弾性体が劣化すると、像担持体との圧接状態が変化したり、転写電界が良好に形成されなくなくなったりして、転写性能が悪化し、画像品質の低下を招くおそれがある。このため、転写ローラは、劣化したものを適時新品のものと交換できるように、画像形成装置本体に対して着脱自在に取り付けられている。一般的には、転写ローラの回転軸の両端を回転自由に支持する転写軸受部材の上側を開放した形状にすることで、該転写軸受部材の開口部から転写ローラの着脱を可能にしている。
【０００４】
そして、一般的に転写ローラのニップ部近傍には、ニップ部の転写材搬送方向上流側と下流側とから一端が該ニップ部に臨むようにして、転写材の搬送経路を形成する搬送ガイド部材等が配設されている。よって、転写ローラを交換する際には、ユーザがこの搬送ガイド部材を開閉させている。
【０００５】
【発明が解決しようとする課題】
ところが、上述したように転写ローラを交換する際に搬送ガイド部材を開閉させる手段を用いた場合、転写ローラ交換後に搬送ガイド部材を閉じずに像担持体を取り付けようとすると、像担持体と搬送ガイド部材との接触により像担持体表面に傷がついて像担持体が使用不能になる可能性がある。また、像担持体が正常に取り付けられても、搬送ガイド部材が開いた状態のまま適切な位置にないと、異常画像が発生する可能性がある。上述した搬送ガイド部材の閉め忘れをなくすために、搬送ガイド部材を常に閉じる方向に弾性部材等により付勢すると、搬送ガイド部材を開きながら転写ローラの取り付けを行なわなければいけなくなり、結局転写ローラの交換作業が複雑になってしまう問題がある。
【０００６】
本発明は以上の問題点に鑑みなされたものであり、その目的とするところは、回転体と対向部材との取り付けを行うに際して、対向部材と搬送ガイド部材との接触により対向部材を損傷させることなく、搬送ガイド部材が開いた状態で対向部材を取り付けることができ、搬送ガイド部材の不適切な位置による異常画像の発生を防止する画像形成装置を提供することである。
【０００７】
【課題を解決するための手段】
上記目的を達成するために、請求項１の発明は、回転可能に且つ着脱自在に支持された回転体と、該回転体に接触対向するように設けられ、回転可能に且つ着脱自在に支持された対向部材と、開閉自在に一端が支持され、閉じた状態で他端が該回転体と該対向部材との接触対向領域に臨むように配設され、記録材の搬送経路を形成する搬送ガイド部材とを備える画像形成装置において、該搬送ガイド部材が閉じた状態で該回転体の回転軸における回転体取り外し方向への移動を規制する一方で、該搬送ガイド部材が開かれるのに伴って、該回転軸の回転体取り外し方向への移動を規制する規制位置から該移動を規制しない位置に移動する規制部と、該搬送ガイド部材が開いた状態で該対向部材が装置内に取り付けられる場合に該対向部材の通紙範囲外に接触して該搬送ガイド部材が閉じるようにする突起部とを、該搬送ガイド部材の通紙範囲外に設けたことを特徴とするものである。
【０００８】
この画像形成装置においては、回転体を交換する際に搬送ガイド部材を開閉させるが、搬送ガイド部材を開いた状態で対向部材を取り付けても、対向部材を取り付ける際に対向部材が搬送ガイド部材に設けられた突起部に接触して搬送ガイド部材が閉まった状態になる。つまり、回転体を交換するために搬送ガイド部材を開き、回転体を新しいものに交換した後そのまま搬送ガイド部材を閉じずに対向部材を取り付けることが可能である。無論、作業者が搬送ガイド部材を閉じた後に対向部材を取り付けることを排除するものではない。なお、突起部は通紙範囲外に設けられ、対向部材の通紙範囲外に接触するようになっているので、搬送ガイド部材が対向部材の通紙範囲を損傷させることがない。また、搬送ガイド部材は対向部材を取り付けた後必ず閉まった状態になっているので、搬送ガイド部材が不適切な位置にあることによる異常画像の発生を防止することができる。
【０００９】
特に、請求項２の発明は、上記搬送ガイドが開く方向に付勢され、上記突起部が装置内への取り付けを完了した上記対向部材の通紙範囲以外に接触するようにしたことを特徴とするものである。
【００１０】
この画像形成装置においては、回転体と対向部材との装置内への取り付けを完了し、開く方向に付勢された搬送ガイド部材に設けられた突起部が対向部材の通紙範囲外に接触した状態で、搬送ガイド部材の位置が所定の位置に決められる。そのため、回転体と対向部材との装置内への取り付けを完了した後、搬送ガイド部材の位置は、搬送ガイド部材が装置本体に支持されて突起部と対向部材とが離間した状態にある場合に比べ、部品のバラツキや組み付けのバラツキの影響を受けにくくなる。したがって、ニップ部とニップ部に臨む搬送ガイド部材の一端との位置関係のバラツキも小さくなり、安定して記録紙を搬送することができる。
【００１１】
また、請求項３の発明は、請求項１又は２の画像形成装置において、上記突起部材は、上記対向部材と接する面が移動可能に形成されることを特徴とするものである。
【００１２】
この画像形成装置においては、画像形成動作中、搬送ガイド部材に設けられた突起部が回転する対向部材に接触しても、突起部は対向部材と接する面が移動可能に形成されるため、突起部が対向部材との接触によって磨耗したり破損したりすることを抑制することができる。したがって、突起部の磨耗や破損により搬送ガイド部材の位置が変化するのを抑制することができる。
【００１３】
【発明の実施の形態】
まず、本発明を画像形成装置である複写機に適用した第１の実施形態について説明する。
図１は、本実施形態に係る複写機の一部を示す概略構成図である。この複写機は、矢印Ａ方向に回転する感光体ドラム１の周囲に、該感光体ドラム１表面を均一に帯電するための帯電手段である帯電器２と、該感光体ドラム１上に形成された静電潜像をトナーで現像する現像装置３と、該現像装置３により現像されて形成されたトナー像を記録材としての転写紙Ｐに転写する転写手段としての転写ローラ４と、該転写ローラ４によって該転写紙Ｐ上に転写されたトナー像を定着する定着手段としての定着装置５と、転写後の感光体ドラム１表面をクリーニングするクリーニング手段であるクリーニング装置６とが配置されている。
【００１４】
この複写機においては、回転体としての転写ローラ４と該転写ローラ４に接触対向するように設けられた対向部材としての感光体ドラム１との接触対向領域であるニップ部近傍に、転写紙Ｐを搬送するための搬送ガイド部材としての転写ガイド７が設けられている。この転写ガイド７は、開閉自在に一端が支持され、閉じた状態で他端がニップ部に臨むように配設され、転写紙Ｐの搬送経路を形成している。
【００１５】
上記構成の複写機は、上記帯電器２により感光体ドラム１の表面を均一に帯電し、図示しないレーザ光学系からの画像情報に基づくレーザ光ＬＢによって該感光体ドラム１表面に静電潜像を形成する。ここで、例えば、本発明をプリンタに適用した場合には、画像情報を出力する画像情報出力手段、例えばパーソナルコンピュータからの画像情報に基づいて静電潜像を形成することになる。
【００１６】
上記感光体ドラム１上の静電潜像は、上記現像装置３により現像され、該感光体ドラム１上にはトナー像が形成される。その後、このトナー像は、上記ニップ部において、図示しない電源により上記転写ローラ４に印加された転写バイアスよって、図示しない給紙カセットから矢印Ｂ方向に給紙され転写ガイド７上を搬送された転写紙Ｐ上に転写される。このようにして、転写紙Ｐに転写されたトナー像は、上記定着装置５の作用を受けて該転写紙Ｐ上に定着される。一方、この転写時に上記感光体ドラム１上に残留した転写残トナーは、上記クリーニング装置６により除去され、クリーニングされた感光体ドラム１は次の画像形成工程に供される。
【００１７】
次に、この複写機の転写部の構成について図２乃至図５を用いて詳細に説明する。図２は転写部の概略斜視図、図３（ａ）（ｂ）は転写部の正面図、図４は転写部の要部斜視図である。図５は、転写部の要部側面図であり、図３（ａ）中、右側からみた側面図である。
上記転写ローラ４は、図２乃至図４に示すように、金属性の回転軸４ａと、その周囲に被覆された導電性ゴムからなる弾性体４ｂとで構成されている。転写ローラ４の回転軸４ａは、一対の軸受８に回転可能且つ着脱自在に支持されている。軸受８は、その上端に回転軸４ａの直径と同等以上の幅をもって開口する開口部を有するとともに、軸受支持部材９ａ、９ｂによって上下にスライド可能に支持されている。軸受支持部材９ａ、９ｂは、複写機本体側の支持フレーム１０に固定されている。また、支持フレーム１０には、軸受８に感光体ドラム１側への付勢力を与えるスプリングからなる弾性部材１１が配設されている。さらに、支持フレーム１０には、軸受８の角部を係止する係止爪を有する軸受止め１２も固定配置されており、これにより、軸受８は、該係止爪の形成された範囲内で上下動はするが、軸受支持部材９からは抜け出ないようになっている。また、支持フレーム１０には、転写紙Ｐの除電部材である除電針１３や、該除電針１３と転写ローラ４とを絶縁するための除電針カバー１４なども設けられている。
【００１８】
上記構成においては、軸受８の開口部を回転軸４ａの直径と同等以上の幅をもって形成しているので、軸受８及び軸受支持部材９ａ、９ｂを撓ますことなく回転軸４ａを着脱できる。したがって、軸受８及び軸受支持部材９ａ、９ｂを、撓まないような材質で構成し、あるいは撓むことができない構造にすることが可能になる。本実施形態においては、図２乃至図４に示すように、軸受支持部材９ａの下面及び側面を支持フレーム１０に固定するとともに、軸受支持部材９ｂをクランク型に形成してその底面を支持フレーム１０に固定することで、軸受支持部材９の強度の向上を実現している。これにより、感光体ドラム１と転写ローラ４との摺動により、軸受支持部材９ａ、９ｂが撓んでしまうことがなく、転写ローラ４の位置精度を長期に渡って安定して保つことができる。
【００１９】
一方、感光体ドラム１と転写ローラ４との対向領域であるニップ部に転写紙Ｐを搬送する搬送ガイド部材としての転写ガイド７は、図３（ａ）に示す転写紙Ｐの搬送経路を形成する搬送経路形成位置（以下、閉じている状態とする）と、図３（ｂ）に示す転写ローラ４の上部を開放するように該搬送経路形成位置から退避する退避位置（以下、開いている状態とする）とを選択的に取り得るように、複写機本体に対して開閉自在に取り付けられている。
【００２０】
具体的には、転写ガイド７の一端が上記軸受支持部材９ａ、９ｂに回転可能に支持された回転中心軸１５に支持され、この回転中心軸１５を中心として開閉可能に構成され、転写ガイド７が閉じているとき、その他端がニップ部に臨むようになっている。そして、転写ガイド７の開閉移動は、支持フレーム１０の側面に設けられた可撓性材質からなるストッパ１６により規制される。また、転写ガイド７の通紙範囲外の幅方向両端には、回転軸４ａが軸受８の開口部側への移動を規制する規制部７ａと、転写ガイド７が開いた状態で感光体ドラム１が装置内に挿入される場合に該感光体ドラム１の通紙範囲外に接触して転写ガイド７が閉じるようにする突起部７ｂとがそれぞれ形成されている。なお、図５に示すように、感光体ドラム１は転写ローラ４よりローラ幅が大きく形成されており、規制部７ａと突起部７ｂは、感光体ドラム１の通紙範囲外Ｘに対向する位置に配設されている。
【００２１】
上記規制部７ａは、転写ローラ４の回転軸４ａ側に突出するように形成されており、図３（ａ）に示すように、転写ガイド７が閉じている状態にあるとき、回転軸４ａの移動を規制する規制位置を取り、これにより、転写ローラ４の回転軸４ａが軸受８の開口部側への移動を規制している。また、転写ローラ４の交換時には、図３（ｂ）に示すように、転写ガイド７を開くことにより、規制部７ａは該規制位置から該規制を解除する解除位置を取り、これにより、該規制を解除する。
【００２２】
本実施形態に係る複写機においては、転写ローラ４の交換に際して、まず始めに感光体ドラム１を複写機本体から取り外す。そして、図３（ｂ）に示すように、転写ガイド７を持ち上げることで、ストッパ１６の突起部１６ａを押し下げて撓ませ、転写ガイド４を開き、転写ローラ４を露出させる。これにより、上述したように転写ローラ４を容易に取り外すことができるようになる。なお、交換作業中においては、転写ガイド７がストッパ１６の突起部１６ａにより移動が規制されるので、交換作業を安定して行うことができる。そして、転写ローラ４を新しいものに交換した後、転写ガイド７を開いた状態で感光体ドラム１を装置内に図中矢印Ｃ方向から取り付ける。感光体ドラム１を取り付ける際、転写ガイド７の突起部７ｃが感光体ドラム１を取り付ける作業線上に位置しており、突起部７ｂが感光体ドラム１の通紙範囲外Ｘに接触し、強制的に転写ガイド７が押し下げられ、ストッパ１６の突起部１６ａが押し押し上げられて撓む。最後に図３（ａ）に示すように、ストッパ１６の突起部１６ａによって転写ガイド７の移動が規制されて転写ガイド７の位置が決められる。このとき、図５に示すように、突起部７ｃは、感光体ドラム１の周面の通紙範囲外Ｘに対向する位置にある。
【００２３】
以上、本実施形態によれば、転写ガイド７を開いた状態で感光体ドラム１を取り付けても、感光体ドラム１を取り付ける際に転写ガイド７の通紙範囲外に設けられた突起部７ｂが感光体ドラム１の通紙範囲外Ｘに接触して、転写ガイド７が閉まった状態になる。そのため、転写ローラ４を交換するために転写ガイド７を開き、転写ローラ４を新しいものに交換した後そのまま転写ガイド７を閉じずに感光体ドラム１を取り付けることが可能である。無論、作業者が転写ガイド７を閉じた後に感光体ドラム１を含む感光体ドラム１を取り付けることを排除するものではない。また、転写ガイド７は感光体ドラム１を取り付けた後必ず閉まった状態になっているので、転写ガイド７が不適切な位置にあることによる異常画像の発生を防止することができる。
【００２４】
次に、第２の実施形態について図６（ａ）、（ｂ）を用いて説明する。
（図６（ａ）は、転写ガイドが閉じている状態を示し、図６（ｂ）は転写ガイドが閉じている状態を示している。第２の実施形態においては、図６（ａ）（ｂ）に示すように、転写ガイド７がスプリングからなる弾性部材１７によって開く方向に付勢されている。そして、転写ガイド７が開いた状態で感光体ドラム１が装置内に挿入される場合に感光体ドラム１に接触して転写ガイド７が閉じるようにする突起部７ｃが、転写ガイド７の通紙範囲外に設けられている。図６（ａ）に示すように、感光体ドラム１が装置内に取り付けられているときには、突起部７ｃが感光体ドラム１の通紙範囲外Ｘに接触するようになっている。これ以外の構成は、上述した第１の実施形態と同様であるので説明を省略する。
【００２５】
このように構成された本実施形態においては、転写ローラ４の交換に際して感光体ドラム１を複写機本体から取り外すと、図６（ｂ）に示すように、転写ガイド７は弾性部材１７によって開く方向に付勢されて開いた状態になり、転写ローラ４が露出する。これにより、上述したように転写ローラ４を容易に取り外すことができるようになる。なお、交換作業中においては、転写ガイド７は、弾性部材１７によって開く方向に付勢されているので、交換作業を安定して行うことができる。そして、転写ローラ４を新しいものに交換した後、転写ガイド７を開いた状態で感光体ドラム１を装置内に図中矢印Ｃ方向から取り付ける。感光体ドラム１を取り付ける際、転写ガイド７の突起部７ｃが感光体ドラム１を取り付ける作業線上に位置しており、突起部７ｃが感光体ドラム１の通紙範囲外Ｘに接触し、強制的に転写ガイド７が押し下げられる。最後に、図６（ａ）に示すように、所定の位置に取り付けられた感光体ドラム１と弾性体１７から開く方向に付勢された突起部７ｃとが接触した状態で、転写ガイド７の位置が決められる。
【００２６】
以上、本実施形態によれば、転写ガイド７は、装置内に取り付けられた感光体ドラム１と、弾性体１７から開く方向に付勢された突起部７ｃとが接触した状態でその位置が決まる。このように、感光体ドラム１と突起部７ｃとが接触した状態で転写ガイド７の位置が決められるので、ニップ部とニップ部に臨む転写ガイド７の一端との位置関係は、第１の実施形態のように感光体ドラム１と突起部７ｃとが離間した状態で転写ガイド７が支持フレーム１０及びストッパ１６によって移動が規制されている場合に比べ、部品のバラツキや組み付けの影響を受けくくなり、バラツキが小さくなる。その結果、常に品質の高い安定した画像を得ることができる。なお、本実施形態においては、スプリングからなる弾性部材１７を用いたが、他の弾性部材であっても、また自重により開く方向に付勢するような構成にしてもよいことは勿論である。
【００２７】
次に、第３の実施形態について図７（ａ）、（ｂ）を用いて説明する。
（図７（ａ）は、転写ガイド７が閉じている状態を示し、図７（ｂ）は転写ガイド７が閉じている状態を示している。
第３の実施形態においては、図７（ａ）（ｂ）に示すように、転写ガイド７がスプリングからなる弾性部材１７によって開く方向に付勢されている。そして、転写ガイド７が開いた状態で感光体ドラム１が装置内に挿入される場合に感光体ドラム１に接触して転写ガイド７が閉じるようにする突起部７ｄが、転写ガイド７の通紙範囲外に設けられている。この突起部７ｄは、感光体ドラム１と接触する面が移動するように回転軸を中心に回転するコロにより形成されている。そして、図７（ａ）に示すように、感光体ドラム１が装置内に取り付けられているときには、突起部７ｃが感光体ドラム１の通紙範囲外Ｘに接触するようになっている。これ以外の構成は、上述した第１の実施形態と同様であるので説明を省略する。
【００２８】
このように構成された本実施形態においては、転写ローラ４の交換に際して感光体ドラム１を複写機本体から取り外すと、図７（ｂ）に示すように、転写ガイド７は弾性部材１７によって開く方向に付勢されて開いた状態になり、転写ローラが露出する。これにより、上述したように、転写ローラ４を容易に取り外すことができるようになる。なお、交換作業中においては、転写ガイド７は、弾性部材１７によって開く方向に付勢されているので、交換作業を安定して行うことができる。そして、転写ローラ４を新しいものに交換した後、転写ガイド７を開いた状態で感光体ドラム１を装置内に図中矢印Ｃ方向から取り付ける。感光体ドラム１を取り付ける際、転写ガイド７の突起部７ｃが感光体ドラム１を取り付ける作業線上に位置しており、突起部７ｃが感光体ドラム１の通紙範囲外Ｘに接触し、強制的に転写ガイド７が押し下げられる。最後に、図７（ａ）に示すように、所定の位置に取り付けられた感光体ドラム１と弾性体１７から開く方向に付勢された突起部７ｃとが接触した状態で、転写ガイド７の位置が決められる。ここで、転写ガイド７の突起部７ｄは、突起部７ｄがコロにより形成され、感光体ドラム１と接触する面が感光体ドラム１と一緒に移動する。
【００２９】
以上、本実施形態によれば、転写ガイド７の突起部７ｄは、回転する感光体ドラム１と接触することになるが、突起部７ｄがコロにより形成され、感光体ドラム１と接触する面が感光体ドラム１と一緒に移動することができる。したがって、突起部７ｄが感光体ドラム１との摩擦により損傷したり磨耗したりすることを抑制し、転写ガイド７の位置が変化して画質が低下することを抑制することができる。
【００３０】
なお、第１乃至第３の実施形態においては、回転体として転写ローラを用い、向部材として感光体ドラムを用いる例について説明したが、回転体及び対向部材としては、その両端側を軸受部材で回転可能に且つ着脱自在に支持されたベルト体であってもよい。
また、転写ガイドに設けられた突起部が感光体ドラムの通紙範囲外に直接接触する例について説明したが、感光体ドラムを含む感光体ユニットを装置に取り付ける際に、突起部が該感光体ユニットに接触するようにしてもよい。また、突起部を転写ローラの両端の通紙範囲外にそれぞれ１つづつ設ける例について説明したが、一端のみに設けてもよいし、両端に複数設けてもよい。突起部の形状は、上述した実施形態に限定されるものではないことは勿論である。
【００３１】
【発明の効果】
請求項１乃至３の発明によれば、対向部材と搬送ガイド部材との接触により対向部材を損傷させることなく、搬送ガイド部材が開いた状態で対向部材を取り付けることができるとともに、搬送ガイド部材の不適切な位置による異常画像の発生を防止できるという優れた効果がある。
【００３２】
特に、請求項２の発明によれば、ニップ部とニップ部に臨む搬送ガイド部材の一端との位置関係のバラツキを小さくして、常に品質の高い安定した画像を得ることができるという優れた効果がある。
【００３３】
特に、請求項３の発明によれば、突起部の磨耗や破損により搬送ガイド部材の位置が変化して、画質が低下するのを抑制することができるという優れた効果がある。
【図面の簡単な説明】
【図１】本発明の第１の実施形態に係る画像形成装置としての複写機の構成を示す概略構成図。
【図２】同複写機の転写部の構成を示す概略斜視図。
【図３】（ａ）は同複写機の転写ガイドが閉じているときの構成を示す正面図、（ｂ）は同転写ガイドが開いているときの構成を示す正面図。
【図４】同複写機の転写部の構成を示す要部斜視図。
【図５】同複写機の転写部の構成を示す要部側面図。
【図６】（ａ）は第２の実施形態に係る複写機の転写ガイドが閉じているときの構成を示す正面図、（ｂ）は同転写ガイドが開いているときの構成を示す正面図。
【図７】（ａ）は第３の実施形態に係る複写機の転写ガイドが閉じているときの構成を示す正面図、（ｂ）は同転写ガイドが開いているときの構成を示す正面図。
【符号の説明】
１      感光体ドラム
２      帯電器
３      現像装置
４      転写ローラ
４ａ    回転軸
４ｂ    弾性体
５      定着装置
６      クリーニング装置
７      転写ガイド
７ａ    規制部
７ｂ、７ｃ、７ｄ    突起部
８    軸受
９    軸受支持部材
１０    支持フレーム
１６    ストッパ
１７    弾性部材
【図１】
0004092061.tif 000002
【図２】
0004092061.tif 000003
【図３】
0004092061.tif 000004
【図４】
0004092061.tif 000005
【図５】
0004092061.tif 000006
【図６】
0004092061.tif 000007
【図７】
0004092061.tif 000008